(57)【要約】【課題】肌トラブルの要因を容易に把握可能とする技術を提供する。【解決手段】肌分析方法は、医療行為を除く方法であって、被験者の肌の赤み情報を取得する赤み取得工程（Ｓ１１）と、前記赤み取得工程で取得された赤み情報を用いて、前記被験者の肌トラブルの体内要因を推定する推定工程（Ｓ１２）と、を含む。【選択図】図１
2018102730.tif 000002
【特許請求の範囲】
【請求項１】
被験者の肌の赤み情報を取得する赤み取得工程と、
前記赤み取得工程で取得された赤み情報を用いて、前記被験者の肌トラブルの体内要因を推定する推定工程と、
を含む肌分析方法（医療行為を除く）。
【請求項２】
前記赤み取得工程では、前記被験者の肌画像を処理することにより、赤色の濃さ指標及びムラ指標の少なくとも一方の指標値を前記赤み情報として取得する、
請求項１に記載の肌分析方法（医療行為を除く）。
【請求項３】
前記推定工程では、
母集団から予め取得された赤みサンプルデータ及び血液状態サンプルデータの統計情報、及び前記赤み情報を用いて、皮膚性状と相関のある血液指標の状態を推定し、
前記推定された状態に基づいて、前記被験者の前記肌トラブルの体内要因となり得る前記血液指標を特定する、
請求項１又は２に記載の肌分析方法（医療行為を除く）。
【請求項４】
前記推定工程は、前記皮膚性状と相関のある血液指標の状態として、前記被験者の血液検査値を推定する、
請求項３に記載の肌分析方法（医療行為を除く）。
【請求項５】
被験者の肌の赤み情報を取得する赤み取得工程と、
前記赤み取得工程で取得された赤み情報を用いて推定される前記被験者の肌トラブルの体内要因を示す要因情報、及び当該体内要因の改善提案情報の少なくとも一方を前記被験者に提示する提示工程と、
を含む肌美容カウンセリング方法。
【請求項６】
請求項１から４のいずれか一項に記載の肌分析方法を含み、
前記推定工程で推定された、前記被験者の肌トラブルの体内要因を示す要因情報及び当該体内要因の改善提案情報の少なくとも一方を前記被験者に提示する提示工程、
を更に含む肌美容カウンセリング方法。
【請求項７】
被験者の肌の赤み情報を取得する赤み取得工程と、
前記赤み取得工程で取得された赤み情報を用いて推定される前記被験者の肌トラブルの体内要因を改善させ得る飲食品又は生活習慣改善手法の推奨情報を提示する提示工程と、
を含む飲食品又は生活習慣改善手法の推奨方法。
【請求項８】
請求項１から４のいずれか一項に記載の肌分析方法を含み、
前記推定工程で推定された、前記被験者の肌トラブルの体内要因を改善させ得る飲食品又は生活習慣改善手法の推奨情報を提示する提示工程、
を更に含む飲食品又は生活習慣改善手法の推奨方法。
【請求項９】
被験者の肌の赤み情報を取得する赤み取得手段と、
前記赤み取得手段で取得された赤み情報を用いて、前記被験者の肌トラブルの体内要因を推定する推定手段と、
を備える肌分析装置。
【請求項１０】
被験者の肌の赤み情報を取得する赤み取得手段と、
前記赤み取得手段で取得された赤み情報を用いて推定される前記被験者の肌トラブルの体内要因を示す要因情報及び当該体内要因の改善提案情報の少なくとも一方を出力する出力処理手段と、
を備える肌美容カウンセリング支援装置。
【請求項１１】
被験者の肌の赤み情報を取得する赤み取得手段と、
前記赤み取得手段で取得された赤み情報を用いて推定される前記被験者の肌トラブルの体内要因を改善させ得る飲食品又は生活習慣改善手法の推奨情報を出力する出力処理手段と、
を備える飲食品又は生活習慣改善手法の推奨装置。
【発明の詳細な説明】
【技術分野】
【０００１】
本発明は、肌の分析技術に関する。
【背景技術】
【０００２】
肌や肌の状態は、気温や湿度、紫外線などの気候（外的要因）により日々変化している。そのため、肌の荒れ具合や肌色等の情報により被験者の美容や健康に役立てる試みがなされている。例えば、特許文献１には、鏡の使用者の顔画像から使用者の顔の肌状態を分析して、その分析結果を通知する手法が開示されている。この手法は、鏡に埋設された撮像手段でその鏡の使用者の顔画像を撮像し、その顔画像に独立成分分析を適用することでヘモグロビン色素成分情報を抽出する。額部領域のヘモグロビン色素成分量を基準にして鼻部領域のヘモグロビン量を比較分析することで、交感神経系活性度が分析結果として得られる。
【先行技術文献】
【特許文献】
【０００３】
【特許文献１】特開２００９−１５３６０９号公報
【非特許文献】
【０００４】
【非特許文献１】D.J.Heeger, J.R.Bergen, COMPUTER GRAPHICS PROCEEDINGS, p229-238(1995)
【発明の概要】
【発明が解決しようとする課題】
【０００５】
特許文献１の手法は、動静脈吻合血管が多く分布する鼻部と自律神経系の影響による血流量の変化がほとんどみられない額部とで、ヘモグロビン色素成分量を比較することにより、交感神経系活性度を判断するものであり、肌トラブルに関する判断をしているわけではない。一方、体調に影響する体内要因を測定する場合には、専用の装置が必要であったり、採血等侵襲による診断が必要になる。
【０００６】
本発明は、このような課題に鑑みてなされたものであり、非侵襲の簡便な方法により、美容上の肌トラブルの要因を容易に把握可能とする技術を提供する。
【課題を解決するための手段】
【０００７】
本発明の各態様では、上述した課題を解決するために、それぞれ以下の構成を採用する。
【０００８】
第一の態様は、医療行為を除く肌分析方法に関する。第一の態様に係る肌分析方法は、被験者の肌の赤み情報を取得する赤み取得工程と、前記赤み取得工程で取得された赤み情報を用いて、前記被験者の肌トラブルの体内要因を推定する推定工程と、を含む。
【０００９】
第二の態様は、肌美容カウンセリング方法に関する。第二の態様に係る肌美容カウンセリング方法は、被験者の肌の赤み情報を取得する赤み取得工程と、前記赤み取得工程で取得された赤み情報を用いて推定される前記被験者の肌トラブルの体内要因を示す要因情報、及び当該体内要因の改善提案情報の少なくとも一方を前記被験者に提示する提示工程と、を含む。
【００１０】
第三の態様は、飲食品又は生活習慣改善手法の推奨方法に関する。第三の態様に係る飲食品又は生活習慣改善手法の推奨方法は、被験者の肌の赤み情報を取得する赤み取得工程と、前記赤み取得工程で取得された赤み情報を用いて推定される前記被験者の肌トラブルの体内要因を改善させ得る飲食品又は生活習慣改善手法の推奨情報を提示する提示工程と、を含む。
【００１１】
なお、本発明の別態様としては、赤み取得手段、推定手段、及び出力処理手段の中の少なくとも複数を備えて、上記各態様に係る方法を実行する肌分析装置、肌美容カウンセリング支援装置、又は、飲食品若しくは生活習慣改善手法の推奨装置であってもよい。また、上記各態様に係る方法を少なくとも一つのコンピュータに実行させるプログラムであってもよいし、このようなプログラムを記録したコンピュータが読み取り可能な記憶媒体であってもよい。この記録媒体は、非一時的な有形の媒体を含む。
【発明の効果】
【００１２】
上記各態様によれば、非侵襲の簡便な方法により、肌トラブルの要因を容易に把握可能とする技術を提供することができる。
【図面の簡単な説明】
【００１３】
【図１】第一実施形態の肌分析方法を示すフローチャートである。
【図２】ヘモグロビン成分画像の目視による赤み濃度値及び赤みムラ値の評価手法（第一の手法）を概念的に示す図である。
【図３】被験者の肌画像に対する画像解析による赤み濃度値及び赤みムラ値の算出手法（第三の手法）を概念的に示す図である。
【図４】第一実施形態の肌分析装置のハードウェア構成例を概念的に示す図である。
【図５】第一実施形態の肌分析装置の処理構成例を概念的に示す図である。
【図６】第二実施形態の肌分析方法を示すフローチャートである。
【図７】第二実施形態の肌分析装置の処理構成例を概念的に示す図である。
【図８】ＢＭＩ値及び赤み指標値の２軸による肌トラブルの体内要因の推定手法を概念的に示す図である。
【図９】第三実施形態に係る肌美容カウンセリング方法を示すフローチャートである。
【図１０】第三実施形態の肌美容カウンセリング支援装置の処理構成例を概念的に示す図である。
【図１１】第四実施形態に係る飲食品又は生活習慣改善手法の推奨方法を示すフローチャートである。
【図１２】第四実施形態の飲食品又は生活習慣改善手法の推奨装置の処理構成例を概念的に示す図である。
【図１３】「調査１」の結果として、赤み濃度値又は赤みムラ値と、ＢＭＩ及び血液検査値との関係を示す表である。
【図１４】図１４（ａ）は、２５以上のＢＭＩ値を有する被験者群のグラフであり、図１４（ｂ）は、１８．５以上２５未満のＢＭＩ値を有する被験者群のグラフであり、図１４（ｃ）は、１８．５未満のＢＭＩ値を有する被験者群のグラフである。
【図１５】「調査２」の結果として、赤み濃度値又は赤みムラ値と血液検査値との関係を示す表である。
【図１６】図１６（ａ）から（ｃ）は、皮膚性状の変化とＢＭＩ及び血液検査値の変化との関係を示す表であり、図１６（ａ）は、肌色指標、図１６（ｂ）は、皮脂量指標、図１６（ｃ）は、水分乾燥指標との関係を示す表である。
【図１７】赤み濃度値を用いた肌美容カウンセリングの使用例である。
【発明を実施するための形態】
【００１４】
以下、本発明の実施の形態について説明する。なお、以下に挙げる各実施形態はそれぞれ例示であり、本発明は以下の各実施形態の構成に限定されない。
【００１５】
まず、初めに、後述する各実施形態の概要について説明する。
各実施形態に係る肌分析方法は、医療行為を除く、美容のため等に用いられる方法であって、赤み取得工程と、推定工程とを含む。
赤み取得工程は、被験者の肌の赤み情報を取得する工程である。
ここで「肌の赤み情報」とは、被験者の肌の特定部位から視認される赤の色味を示す情報である。「肌の赤み情報」は、例えば、赤色の濃度、又は赤色のムラの度合を示す。
本方法では、肌の赤み情報の取得手法については限定されない。例えば、評価者が被験者の肌を直接目視することにより、肌の赤みを所定スケールで評価する手法であってもよい。また、被験者の肌が写る肌画像（顔画像や肌のみが写る肌画像であってもよい）が評価者により目視されてもよい。
赤み取得工程における他の具体的な取得手法については後述する。
【００１６】
推定工程は、赤み取得工程で取得された赤み情報を用いて、被験者の肌トラブルの体内要因を推定する工程である。
ここで「肌トラブル」とは、潜在的又は顕在的に肌に何らかの問題が生じている状態を意味する。「肌トラブル」としては、例えば、顔色（明るさ、黄色み、赤みなど）、色ムラ、肌の乾燥、皮脂量、角層剥離量等の各肌症状が標準的な状態に対して増減している状態が該当する。但し、「肌トラブル」における問題の程度、即ち、正常状態からの乖離の程度は限定されない。肌の正常状態は、例えば、年齢層ごとに一般的に知られている健康な肌の状態とする。
また「体内要因」とは、肌トラブルに関与していると思われる人体の要因を意味する。「体内要因」としては、例えば、糖代謝、脂質代謝、炎症指標などの血液指標や、ＢＭＩ（Body Mass Index）、体脂肪率などの体格指標などが該当する。各実施形態によれば、ヘモグロビン量などのように肌の見た目の赤さに直接的に関与する血液指標だけでなく、糖代謝、脂質代謝、炎症指標などのような肌の見た目の赤さに直接的に関与するわけではない血液指標を体内要因として推定することができる。
「血液指標」とは、血液に関する状態を分析することで得られる指標であり、例えば、血液検査で得られる各種指標（空腹時血糖、インスリンなど）などである。「血液指標」は、空腹時血糖、空腹時インスリン、ＨＯＭＡ−Ｒ、ＬＤＬＣ、ＨＤＬＣ、γ−ＧＴなどのように詳細な指標であってもよいし、糖代謝、脂質代謝、炎症指標、肝機能などのように分類指標であってもよい。
「体格指標」とは、人の全体的な体つきに関する指標であり、例えば、体重、身長、ＢＭＩ、体脂肪率、筋肉量、除脂肪量、体水分量、細胞外水分量などが挙げられる。
【００１７】
推定工程では、具体的な体内要因が推定されてもよい。例えば、被験者の肌トラブルの体内要因となり得る血液指標又は体格指標が特定されてもよい。また、推定工程では、その肌トラブルが体内の状態に起因しているか否かが推定されてもよい。例えば、被験者の肌トラブルに関して体内要因なし又は体内要因有りと推定してもよい。
また、推定工程では、その血液指標として、被験者の血液検査値が推定されてもよいし、その体格指標として、被験者の体格指標値が推定されてもよい。血液検査値としては、例えば、空腹時血糖値、空腹時インスリン、ＨＯＭＡ−Ｒ、ＨＭＷ−Ａｄ、高感度ＣＲＰ、白血球数などがある。体格指標値としては、ＢＭＩの値、体脂肪率の値などがある。
【００１８】
本発明者らは、人の肌の赤み状態と健康状態（血液指標、体格指標など）とに関連性があり、かつ、健康状態と皮膚性状との間に関連性があることを検証し、これら関連性を用いて、人の肌の赤み情報から肌トラブルの体内要因を推定可能であることを見出した。
推定工程では、このような着想に基づく各種手法により、肌の赤み情報を用いた被験者の肌トラブルの体内要因の推定が行われる。推定工程における具体的推定手法については、後述する。
【００１９】
本方法によれば、被験者は、自身の肌の赤み情報から、血液検査などをすることなく、自身の肌のトラブルの要因を容易に把握することができる。
また、本発明の実施形態としては、上述の肌分析方法を実行する肌分析装置、又は上述の肌分析方法を少なくとも一つのコンピュータに実行させる肌分析プログラムが実現され得る。
以下、各実施形態についてより詳細にそれぞれ説明する。
【００２０】
［第一実施形態］
〔肌分析方法〕
図１は、第一実施形態の肌分析方法を示すフローチャートである。
第一実施形態の肌分析方法は、工程（Ｓ１１）、工程（Ｓ１２）、及び工程（Ｓ１３）を含む。
【００２１】
工程（Ｓ１１）は、上述の赤み取得工程に相当する。第一実施形態に係る肌分析方法は、工程（Ｓ１１）において、被験者の肌画像を処理することにより、赤色の濃さ指標及びムラ指標の少なくとも一方の指標値を赤み情報として取得する。
被験者の肌画像は、被験者の肌が写る画像であればよく、全顔画像のように肌の或る程度広い範囲が写る画像であってもよいし、頬の一部といった肌の局部が写る画像であってもよい。
赤色の濃さ指標の指標値は、赤色の濃さの程度を示す値であり、以降、赤み濃度値と表記される場合もある。赤み濃度値は、濃いか薄いかを２値で示してもよいし、３段階以上の濃さスケールを３値以上で示してもよい。また、赤み濃度値は、肌における赤色の平均的な濃さを示すものであってもよいし、肌の対象範囲の中で最も濃い部分の濃さを示すものであってもよい。
赤色のムラ指標の指標値は、赤色のムラの程度を示す値であり、以降、赤みムラ値と表記される場合もある。赤色のムラとは、目視可能な赤色の部分的な濃淡を意味する。赤みムラ値は、ムラが多いか少ないかを２値で示してもよいし、３段階以上のムラスケールを３値以上で示してもよい。例えば、赤みムラ値は、人が目視し得る赤色の部分的な濃淡の分散の程度を示す。
即ち、本方法は、工程（Ｓ１１）において、赤み濃度値、赤みムラ値、又は赤み濃度値及び赤みムラ値を赤み情報として取得する。以下、工程（Ｓ１１）における各指標値の取得手法を例示する。
【００２２】
第一の手法は、被験者の肌画像からヘモグロビン成分画像を抽出し、このヘモグロビン成分画像を専門評価者が目視で評価する手法である。
図２は、ヘモグロビン成分画像の目視による赤み濃度値及び赤みムラ値の評価手法（第一の手法）を概念的に示す図である。図２の例では、被験者の全顔のカラー画像に対して独立成分分析を適用することによりヘモグロビン成分画像が抽出される。この抽出手法には、上述の特許文献１に開示される手法など公知の手法を利用すればよい。一方で、肌の赤みの濃度及びムラ度合が異なる複数人から同様の手法でヘモグロビン成分画像を予め抽出しておき、ヘモグロビン成分の濃度とムラとの２軸でフォトスケール（図２下部に例示）を作成しておく。このフォトスケールを用いて、専門評価者に被験者のヘモグロビン成分画像の赤み濃度と赤みムラとを評価させることにより、被験者の赤み濃度値及び赤みムラ値が取得される。
【００２３】
第二の手法は、被験者の肌画像からヘモグロビン成分画像を抽出し、このヘモグロビン成分画像内の検査領域の輝度値（画素値）を用いて赤み濃度値を算出する手法である。例えば、この手法は、偏光板を用いて被験者にＳ偏光を投射しＰ偏光を撮像することで被験者の全顔のＳＰ偏光画像を取得し、このＳＰ偏光画像に対して独立成分分析を適用することによりヘモグロビン成分画像を抽出する。ＳＰ偏光画像は、内部反射光成分が強い画像であるため、高精度のヘモグロビン成分画像を抽出することができる。抽出されたヘモグロビン成分画像の頬の部位を検査領域として所定サイズ（例えば、２５６×２５６ピクセル）で切り取り、その検査領域の平均輝度値を算出し、最高輝度値（２５５）に対するその平均輝度値の比率により赤み濃度値を算出する。
赤み濃度値＝ｌｏｇ（２５５／平均輝度値）
【００２４】
第三の手法は、被験者のヘモグロビン成分画像内の検査領域を画像ピラミッド法により空間周波数帯域の異なる複数の画像に分解し、分解された各画像の輝度値（画素値）を用いて赤み濃度値及び赤みムラ値を算出する手法である。
画像ピラミッド法には、ガウシアンピラミッド、ラプラシアンピラミッド、スティーラブルピラミッド等、様々な種類が存在し、赤みムラの分布特性などに応じて適切な手法が選択されればよい。また、空間周波数帯域は、撮影倍率等に応じて適宜定めることができる。画像ピラミッド法の詳細については上記非特許文献１に記載されている。
図３は、被験者の肌画像に対する画像解析による赤み濃度値及び赤みムラ値の算出手法（第三の手法）を概念的に示す図である。図３に例示される手法は、被験者の全顔のＳＰ偏光画像から検査領域を切り出し、この検査領域に対して独立成分分析を適用することにより当該検査領域のヘモグロビン成分画像を抽出する。このヘモグロビン成分画像をグレースケール化した後、画像ピラミッド法により空間周波数帯域の異なる５層の画像Ｌ１からＬ５に分解し、分解された画像における必要な画像の輝度の標準偏差又は平均輝度値を算出する。一方で、肌の赤みの濃度及びムラ度合が異なる複数人のヘモグロビン成分画像から同様の手法で５層の画像をそれぞれ抽出し、各画像の輝度の標準偏差及び平均輝度値を説明変数候補とし、各人の赤み濃度値又は赤みムラ値を目的変数とする回帰式を求めておく。各人の赤み濃度値及び赤みムラ値は、例えば、目視スコアで決められる。本実施形態では、赤み濃度値を目的変数とする重回帰式及び赤みムラ値を目的変数とする重回帰式が算出される。例えば、前者は、画像Ｌ５の平均輝度値及び輝度の標準偏差を目的変数とする重回帰式であり、後者は、画像Ｌ４及びＬ５の輝度の標準偏差を目的変数とする重回帰式である。各重回帰式に、所定の空間周波数帯域の被験者の画像から上述のように得られた輝度の標準偏差又は平均輝度値を適用することにより、被験者の赤み濃度値及び赤みムラ値を算出する。
【００２５】
第四の手法は、被験者の肌画像に主成分分析を適用することにより所定の複数の赤み主成分画像の各々に対する寄与率をそれぞれ算出し、算出された寄与率により赤み濃度値及び赤みムラ値を算出する手法である。この手法では、肌の赤みの濃度及びムラ度合が異なる複数人の肌画像に対する主成分分析により複数の赤み主成分画像を予め導出しておく。その上で、例えば、赤み濃度と相関の高い赤み主成分の次数と、赤みムラと相関の高い赤み主成分の次数とを特定しておき、特定された各次数の寄与率を説明変数とし、赤み濃度値又は赤みムラ値を目的変数とする回帰式を導出しておく。この場合の赤み濃度値及び赤みムラ値は、上述のような他の手法で決められれば良い。この回帰式に被験者から抽出された各次数の寄与率をそれぞれ適用することにより、赤み濃度値及び赤みムラ値を算出することができる。
また、肌画像の特定された赤み主成分の次数を赤み指数にすることもできる。
【００２６】
このように、第一実施形態では、被験者の肌画像を処理することにより被験者の赤み情報が取得されるが、工程（Ｓ１１）におけるこの取得手法は、肌画像を用いなくてもよく、上述の例に限定されない。
例えば、評価者が被験者の肌を直接目視することにより、濃さ又はムラを所定スケールで評価する手法であってもよい。また、この手法では、被験者の肌が写る肌画像（顔画像や肌のみが写る局部肌画像であってもよい）が評価者により目視されてもよい。この手法では、評価者により決められた目視スコアが赤み濃度値又は赤みムラ値とされる。
【００２７】
工程（Ｓ１２）は、皮膚性状と相関のある血液指標の状態を推定する工程である。
「皮膚性状」とは、皮膚の性質及び状態を意味する。本発明者らは、実施例の項において述べるとおり、人の「皮膚性状」と相関のある「血液指標」の特定に成功した。例えば、角層水分量又は鱗屑状態と糖代謝に関わる血液指標（空腹時血糖、空腹時インスリンなど）とに相関があり、ｂ値や皮脂量と脂質代謝に関わる血液指標（ＬＤＬＣ、ＴＧなど）とに相関があることが確認されている。
工程（Ｓ１２）で推定される「血液指標の状態」は、指標値で示されてもよいし、良し悪しなどのような評価結果で示されてもよい。前者の一例として、工程（Ｓ１２）では、被験者の血液検査値が推定される。
ここで「血液検査値」とは、血液自体を検査する血液検査で得られる一種以上の検査項目の検査結果を示す値である。
【００２８】
工程（Ｓ１２）における血液指標の状態推定には、母集団から予め取得された赤みサンプルデータ及び血液状態サンプルデータの統計情報、並びに、工程（Ｓ１１）で取得された赤み情報が用いられる。
「赤みサンプルデータ」は、母集団を形成する各人から予め取得された、肌の赤みに関連するデータである。「赤みサンプルデータ」は、血液指標状態の推定精度を高めるためには、工程（Ｓ１１）で取得される赤み情報と同種の情報のデータであることが好ましい。例えば、工程（Ｓ１１）で取得される赤み情報が被験者の肌を目視評価することで得られる赤みの強度情報である場合、「赤みサンプルデータ」は、母集団を形成する各人の肌が同様に目視評価されることで得られた赤みの強度情報のデータであることが好ましい。但し、「赤みサンプルデータ」は、工程（Ｓ１１）で取得される赤み情報とは他種の、その赤み情報と相関のある情報のデータであってもよい。例えば、工程（Ｓ１１）で取得される赤み情報が被験者の肌を目視評価することで得られる赤みの強度情報である場合、「赤みサンプルデータ」は、母集団を形成する各人の肌画像を画像処理することで得られる赤み濃度情報であってもよい。
「血液状態サンプルデータ」は、母集団を形成する各人から予め取得された、皮膚性状と相関のある血液指標の状態を示すデータである。「血液状態サンプルデータ」は、血液指標状態の推定精度を高めるためには、工程（Ｓ１２）で推定される血液指標と同指標のデータであることが好ましい。例えば、工程（Ｓ１２）において血液検査値が推定される場合、「血液状態サンプルデータ」は、母集団を形成する各人から測定された血液検査値であることが好ましい。但し、「血液状態サンプルデータ」は、工程（Ｓ１２）で推定される血液指標とは異なる種類の、当該血液指標と相関のある他のデータであってもよい。
【００２９】
「赤みサンプルデータ及び血液状態サンプルデータの統計情報」は、肌の赤みと血液指標の状態との相関関係に基づいて、赤みサンプルデータと血液状態サンプルデータとを統計処理することにより得られた情報である。肌の赤みと血液指標の状態との相関関係は、本発明者らにより新たに見出されたものであり、例えば、このような相関関係に基づく回帰分析により得られる回帰式が当該統計情報の一例として挙げられる。この例では、当該統計情報は、肌の赤み情報を説明変数とし、血液指標の状態（例えば、血液検査値など）を目的変数とする単回帰式又は重回帰式に該当する。「赤みサンプルデータ及び血液状態サンプルデータの統計情報」がそのような回帰式である場合、工程（Ｓ１１）で取得された肌の赤み情報をその回帰式の説明変数に代入することにより、被験者に関する血液指標の状態を算出することができる。
例えば、工程（Ｓ１１）で赤み情報として赤み濃度値及び赤みムラ値の少なくとも一方が取得され、工程（Ｓ１２）で血液指標の状態として血液検査値が取得される場合、工程（Ｓ１２）では次のようにして実行されてもよい。
まずは、母集団から赤み濃度値群及び赤みムラ値群を取得し、更に、各種検査により血液検査値群を取得する。そしてこれらを統計解析することにより、赤み濃度値又は赤みムラ値のいずれか一方を説明変数とし、血液検査値を目的変数とする単回帰式、又は、赤み濃度値及び赤みムラ値の両方を説明変数とし、血液検査値を目的変数とする重回帰式を導出することができる。
本方法は、工程（Ｓ１２）において、このように導出された回帰式に工程（Ｓ１１）で取得された赤み濃度値及び赤みムラ値の少なくとも一方を適用することにより、血液検査値を推定することができる。
【００３０】
両サンプルデータの取得元である母集団は、特に制限されない。その母集団は、男性のみ又は女性のみで形成されていてもよいし、特定の年齢層のみで形成されていてもよいし、特定の体格を持つ人のみで形成されていてもよい。
また、工程（Ｓ１２）の推定手法は、上述のような手法に限定されない。
当該統計情報は、血液指標の軸と赤み情報の軸との２軸に、上述のように母集団から得られたサンプルデータに対する統計解析により得られる回帰直線を重畳したグラフであってもよい。この場合、工程（Ｓ１２）は、工程（Ｓ１１）で得られた赤み情報とそのグラフ上の回帰直線とを比べることにより、被験者の血液指標の状態を推定することができる。
【００３１】
更に、肌画像の特定された赤み主成分の次数の寄与率からその対象者の血中成分を推定することもできる。この場合は、複数人の肌画像に対する主成分分析により複数の赤み主成分画像とその寄与率を予め導出しておき、その上で、あらかじめ測定しておいた血中成分値のうち特定の血中成分値と相関の高い赤み主成分の次数を特定しておく。評価対象者については、肌画像の特定された赤み主成分の次数の寄与率からその対象者の血中成分を推定することができる。
【００３２】
工程（Ｓ１３）は、工程（Ｓ１２）で推定された状態に基づいて、被験者の肌トラブルの体内要因となり得る血液指標を特定する工程である。工程（Ｓ１２）で状態が推定される血液指標は皮膚性状と相関があるため、その推定された状態が問題のある状態を示す場合には、その肌には、その血液指標と相関のある皮膚性状に関して顕在的又は潜在的な美容上の問題が生じている可能性がある。そこで、本方法は、工程（Ｓ１３）において、工程（Ｓ１２）で推定された血液指標の状態の中で問題のある状態を示す血液指標を被験者の肌トラブルの体内要因となり得るとして特定する。例えば、血液指標の状態として良し悪しが推定されている場合には、悪い状態と推定された血液指標が肌トラブルの体内要因として特定される。また、血液指標の状態として血液検査値が推定されている場合には、基準値を超える血液指標が肌トラブルの体内要因として特定される。
【００３３】
第一実施形態の肌分析方法には、上述のように人によって実施される工程が含まれてもよい。本方法は、肌の赤みと血液指標との間の相関性を用いることにより、血液検査のように時間と労力のかかる検査を行うことなく、被験者の肌の赤み情報から皮膚性状と相関のある血液指標の状態を推定し、被験者の肌トラブルの体内要因となり得る血液指標を、非侵襲かつ容易に特定することができるという一定の効果を反復継続して実現することができる。従って、例え、人によって実施される工程が含まれていたとしても、本方法は、全体として、自然法則を利用した技術的思想と言える。
【００３４】
〔肌分析装置〕
次に、第一実施形態の肌分析装置について図４及び図５を用いて説明する。
図４は、第一実施形態の肌分析装置１０のハードウェア構成例を概念的に示す図である。
肌分析装置１０は、いわゆるコンピュータであり、例えば、バスで相互に接続される、ＣＰＵ（Central Processing Unit）１１、メモリ１２、入出力インタフェース（Ｉ／Ｆ）１３、通信ユニット１４等を有する。肌分析装置１０を形成する各ハードウェア要素の数はそれぞれ制限されず、これらハードウェア要素は情報処理回路と総称することもできる。また、肌分析装置１０は、図４に図示されないハードウェア要素を含んでもよく、そのハードウェア構成は制限されない。
【００３５】
ＣＰＵ１１は、一般的なＣＰＵ以外に、特定用途向け集積回路（ＡＳＩＣ）、ＤＳＰ（Digital Signal Processor）、ＧＰＵ（Graphics Processing Unit）等で構成してもよい。
メモリ１２は、ＲＡＭ（Random Access Memory）、ＲＯＭ（Read Only Memory）、補助記憶装置（ハードディスク等）である。
入出力Ｉ／Ｆ１３は、出力装置１５、入力装置１６等のユーザインタフェース装置と接続可能である。出力装置１５は、ＬＣＤ（Liquid Crystal Display）やＣＲＴ（Cathode Ray Tube）ディスプレイのような、ＣＰＵ１１等により処理された描画データに対応する画面を表示する装置、印刷装置などの少なくとも一つである。入力装置１６は、キーボード、マウス等のようなユーザ操作の入力を受け付ける装置である。出力装置１５及び入力装置１６は一体化され、タッチパネルとして実現されてもよい。
通信ユニット１４は、他のコンピュータとの通信網を介した通信や、他の機器との信号のやりとり等を行う。通信ユニット１４には、可搬型記録媒体等も接続され得る。また、通信ユニット１４には、被験者の肌を撮影するカメラ（図示せず）が接続されてもよい。
また、肌分析装置１０、カメラを内蔵する機器であってもよい。
【００３６】
図５は、第一実施形態の肌分析装置１０の処理構成例を概念的に示す図である。
肌分析装置１０は、赤み取得部２１、推定部２２、出力処理部２３等を有する。これら処理モジュールは、ソフトウェア要素であり、例えば、メモリ１２に格納されるプログラムがＣＰＵ１１により実行されることにより実現される。このプログラムは、例えば、ＣＤ（Compact Disc）、メモリカード等のような可搬型記録媒体やネットワーク上の他のコンピュータから入出力Ｉ／Ｆ１３又は通信ユニット１４を介してインストールされ、メモリ１２に格納されてもよい。
肌分析装置１０は、赤み取得部２１、推定部２２及び出力処理部２３の動作により上述の肌分析方法を実現する。換言すれば、肌分析装置１０は、インストールされたプログラムを実行することにより上述の肌分析方法を実行することができる。
【００３７】
赤み取得部２１は、上述の工程（Ｓ１１）を実行する。
赤み取得部２１は、被験者に関する赤み濃度値又は赤みムラ値を外部のコンピュータ、機器などから入出力Ｉ／Ｆ１３又は通信ユニット１４を介して取得することができる。
また、赤み取得部２１は、被験者の肌画像又はその肌画像を処理することで得られた画像（ヘモグロビン成分画像、画像ピラミッド法で分解された画像など）を外部から取得し、取得された画像を工程（Ｓ１１）における取得手法と同様に処理することにより、被験者に関する赤み濃度値又は赤みムラ値を算出することもできる。
【００３８】
推定部２２は、上述の工程（Ｓ１２）及び工程（Ｓ１３）を実行する。
推定部２２は、母集団から予め取得された赤みサンプルデータ及び血液状態サンプルデータの統計情報を予め保持していてもよいし、外部のコンピュータが保持するその統計情報を通信により参照利用してもよい。
【００３９】
出力処理部２３は、推定部２２により推定された、肌トラブルの体内要因に関する情報を出力する。具体的には、出力処理部２３は、工程（Ｓ１３）で特定された血液指標の情報を肌トラブルの体内要因であるとして出力する。また、出力処理部２３は、工程（Ｓ１２）で推定された被験者の血液指標の状態を合わせて出力してもよい。この出力される血液指標の状態は、肌トラブルの体内要因とされた根拠情報となる。
出力処理部２３による出力形態は制限されない。例えば、出力処理部２３は、当該情報を電子ファイルとして出力可能に保持してもよいし、その電子ファイルを通信ユニット１４を介して他のコンピュータに送信してもよい。また、出力処理部２３は、当該情報を入出力Ｉ／Ｆ１３を介して出力装置１５に表示又は印刷させてもよい。
【００４０】
このように、第一実施形態では、被験者の肌画像を処理することにより、被験者の肌に関して、赤み濃度値及び赤みムラ値の少なくとも一方が赤み情報として取得される。そして、皮膚性状と相関のある血液指標の状態とこの赤み情報との間の相関関係に基づいて、その取得された被験者の肌の赤み情報から被験者の血液指標の状態が推定される。そして、この推定された状態に基づいて、被験者の肌トラブルの体内要因としての血液指標が特定される。
従って、第一実施形態によれば、被験者は、自身の肌画像を提供するだけで、血液検査を受けることもなく、被験者の肌トラブルの要因を容易に把握することができる。
【００４１】
［第二実施形態］
第二実施形態は、被験者の体格指標情報（例えば、ＢＭＩ）を更に用いることで、被験者の血液指標状態の推定精度を向上させる。以下、第二実施形態に係る肌分析方法及び肌分析装置について、第一実施形態と異なる内容を中心説明する。以下の説明では、第一実施形態と同様の内容については適宜省略する。
【００４２】
〔肌分析方法〕
図６は、第二実施形態の肌分析方法を示すフローチャートである。
図６に示されるように、第二実施形態の肌分析方法は、被験者の体格指標情報を取得する工程（Ｓ２１）と、被験者の肌の赤み情報を取得する工程（Ｓ２２）と、被験者における皮膚性状と相関のある血液指標の状態を推定する工程（Ｓ２３）と、被験者の肌トラブルの体内要因となり得る血液指標を特定する工程（Ｓ２４）とを含む。但し、本方法において、工程（Ｓ２１）と工程（Ｓ２２）とは並列に実行されてもよいし、逆の順番で実行されてもよい。
【００４３】
工程（Ｓ２１）において、本方法は、被験者の体格指標情報を取得する。
「体格指標」については第一実施形態にて述べた通りである。工程（Ｓ２１）で取得される被験者の体格指標情報は、ＢＭＩのみ、体脂肪率のみなどといった一種の指標値であってもよいし、ＢＭＩ及び体脂肪率といった複数種の指標値であってもよい。
工程（Ｓ２１）は、被験者の体格指標を測定することを含んでもよいし、含まなくてもよい。本方法がコンピュータにより実行される場合、工程（Ｓ２１）では、ユーザの入力操作に応じて当該体格指標情報を取得することができる。また、体格指標情報がＢＭＩである場合、工程（Ｓ２１）では、ユーザ操作で入力されたＢＭＩ値そのものを取得してもよいし、ユーザ操作で入力された身長データ及び体重データを取得し、それらに基づいて、ＢＭＩ値を算出してもよい。
このように工程（Ｓ２１）における体格指標情報の取得手法は制限されない。
【００４４】
工程（Ｓ２２）は、第一実施形態の工程（Ｓ１１）と同様である。
工程（Ｓ２３）において、本方法は、母集団から予め取得された赤みサンプルデータ及び血液状態サンプルデータの統計情報、工程（Ｓ２１）で取得された体格指標情報、並びに工程（Ｓ２２）で取得された被験者の赤み情報を用いて、被験者における、皮膚性状と相関のある血液指標の状態を推定する。例えば、工程（Ｓ２３）では、当該統計情報に加えて、工程（Ｓ２２）で取得された被験者の赤み濃度値及び赤みムラ値の少なくとも一方、及び工程（Ｓ２１）で取得された被験者のＢＭＩ値を用いて、被験者の血液検査値を推定する。
工程（Ｓ２３）における体格指標情報の利用の仕方は様々である。
【００４５】
例えば、工程（Ｓ２３）において、本方法は、体格指標情報が属する体格指標範囲と赤み情報が属する赤み範囲との組み合わせに基づいて、一種以上の血液指標の異常可能性を血液指標の状態として推定する。
ここで「血液指標の異常可能性」は、異常の可能性が高いか低いかを示してもよいし、異常の可能性の程度（異常の可能性６０％など）であってもよい。
実施例の項で説明しているとおり、本発明者らは、体格指標情報に関する体格指標範囲と赤み情報に関する赤み範囲との特定の組み合わせにおいて、血液検査値が基準値範囲外（異常値）となる被験者の割合に一定の関係性があることを見出した。
そこで、本方法では、この一定の関係性に基づいて、複数の体格指標範囲及び複数の赤み範囲の中の特定の組み合わせの各々について、一種以上の血液指標の異常可能性を示す情報が関連付けられたデータテーブルが予め生成される。工程（Ｓ２３）では、このデータテーブルを参照することで、被験者の体格指標情報が属する体格指標範囲と、被験者の肌の赤み情報が属する赤み範囲とを選択し、この選択された組み合わせに関連付けられた一種以上の血液指標における異常可能性を特定することができる。
【００４６】
更に、本発明者らにより、肥満体格を含む特定体格群における、肌の赤みと血液検査で得られる情報との間に相関が見出された。そこで、体格指標情報は、次のように利用されてもよい。
即ち、本方法は、被験者の体格指標情報に基づいて、その被験者が肥満体格を含む特定体格群に属するか否かを判定する工程を更に含み、この判定結果に応じて、工程（Ｓ２３）の推定を実行するかしないかを決める。具体的には、本方法は、被験者が当該特定体格群に属する場合に、工程（Ｓ２３）を実行し、被験者が当該特定体格群に属さない場合には、工程（Ｓ２３）を実行しない。体格指標情報としてＢＭＩが利用される場合、例えば、特定体格群は、推定精度の観点から、２５以上のＢＭＩ値範囲により特定されることが好ましい。
このようにすることで、血液指標の状態を高精度に推定できる特定体格群に属する被験者に絞って本方法を適用することができるため、本方法の信頼性を高く維持することができる。
この場合、特定体格群に属するか否かの判定工程は、図６の例では、工程（Ｓ２２）の前に実行されることが好ましい。但し、この判定工程は、少なくとも工程（Ｓ２３）の前に実行されればよい。
【００４７】
工程（Ｓ２４）は、第一実施形態の工程（Ｓ１３）と同様である。例えば、工程（Ｓ２３）において血液指標の状態として、血液指標の異常可能性の程度が推定された場合、工程（Ｓ２４）において、本方法は、異常可能性の程度が所定閾値を超えている血液指標を被験者の肌トラブルの体内要因となり得るとして特定してもよい。
【００４８】
〔肌分析装置〕
図７は、第二実施形態の肌分析装置１０の処理構成例を概念的に示す図である。第二実施形態の肌分析装置１０は、第一実施形態の構成に加えて、体格指標取得部２５を更に有する。体格指標取得部２５についても他の処理モジュールと同様に実現される。
【００４９】
体格指標取得部２５は、被験者の体格指標情報を取得する。即ち、体格指標取得部２５は、上述の工程（Ｓ２１）を実行する。
体格指標取得部２５は、入出力Ｉ／Ｆ１３又は通信ユニット１４に体格指標の測定器（体重計、体脂肪計など）が接続されている場合、その測定器から当該体格指標情報を取得することができる。また、体格指標取得部２５は、可搬型記録媒体、他のコンピュータ等から通信ユニット４を経由して当該体格指標情報を取得することもできる。体格指標取得部２５は、体格指標情報の入力画面に対する入力装置１６を用いたユーザ操作に応じて入力された体格指標情報を取得してもよい。また、体格指標取得部２５は、体重データ及び身長データを取得して、体格指標情報としてのＢＭＩ値を算出することもできる。
【００５０】
赤み取得部２１は、上述の工程（Ｓ２２）を実行する。赤み取得部２１は、第一実施形態と同様であればよい。
推定部２２は、上述の工程（Ｓ２３）及び工程（Ｓ２４）を実行する。
推定部２２は、複数の体格指標範囲及び複数の赤み範囲の中の特定の組み合わせの各々について一種以上の血液指標における異常可能性を示す情報が関連付けられたデータテーブルを予め保持していてもよいし、他のコンピュータに格納されているそのデータテーブルを参照してもよい。
また、推定部２２は、上述のように、被験者が肥満体格を含む特定体格群に属するか否かを判定し、この判定結果で血液指標の状態を推定するか否かを切り替えてもよい。
【００５１】
出力処理部２３は、第一実施形態と同様に、推定された肌トラブルの体内要因に関する情報を出力する。また、出力処理部２３は、被験者が上述の特定体格群に属さないと判定された場合、推定をしないことを出力してもよい。また、出力処理部２３は、体格指標情報の入力画面を出力装置１５に表示させることもできる。
【００５２】
このように、第二実施形態によれば、被験者の体格指標情報と赤み情報とを用いて、被験者の血液指標が肌トラブルに係わる可能性を高精度に推定することができる。
【００５３】
［第二実施形態の変形例］
上述の第二実施形態の肌分析方法において、皮膚性状と相関のある血液指標の状態を推定する工程（Ｓ２３）は省かれてもよい。
実施例の項で述べるように、本発明者らにより、ＢＭＩの変化と、鱗屑、皮脂量、及び角層剥離量の変化とに相関があることが認められた。そして、ＢＭＩ値が高く、かつ、赤み指標値が大きい（濃度が高い又はムラが多い）場合には、鱗屑、皮脂量、角層剥離量などの要因となり得る代謝機能（糖代謝、脂質代謝）が低下している可能性が高いことが見出された。赤み指標値は、赤み濃度値若しくは赤みムラ値又はそれら両方を意味するものとする。
そこで、当該肌分析方法は、工程（Ｓ２３）を実行することなく、工程（Ｓ２４）において、工程（Ｓ２１）で取得された体格指標情報と工程（Ｓ２２）で取得された赤み情報との２軸により、被験者の肌トラブルの体内要因を推定することもできる。例えば、図８の例に示されるように、工程（Ｓ２４）において、本方法は、代謝機能低下リスクの高低の判定を行うこともできる。
図８は、ＢＭＩ値及び赤み指標値の２軸による肌トラブルの体内要因の推定手法を概念的に示す図である。図８に例示される推定手法では、赤み指標値とＢＭＩ値とが共に大きくなるにつれて、代謝機能の低下リスクが高いと推定される。この例では、代謝機能の低下リスクが高いと推定するための赤み指標値の閾値とＢＭＩ値の閾値とが予め決められ、代謝機能の低下リスクが中位であると推定するための各閾値がそれぞれ予め決められる。図８の例において工程（Ｓ２４）で特定される肌トラブルの体内要因となる血液指標は、代謝機能となる。
【００５４】
［第三実施形態］
以下、上述の第一実施形態又は第二実施形態の一応用例として、肌美容カウンセリング方法及び肌美容カウンセリング支援装置について、第三実施形態として説明する。以下の説明では、上述の各実施形態と異なる内容を中心に説明し、上述の各実施形態と同様の内容については適宜省略する。
【００５５】
〔肌美容カウンセリング方法〕
第三実施形態に係る肌美容カウンセリング方法は、被験者の肌の赤み情報を取得する赤み取得工程と、赤み取得工程で取得された赤み情報を用いて推定される当該被験者の肌トラブルの体内要因を示す要因情報、及び当該体内要因の改善提案情報の少なくとも一方を当該被験者に提示する提示工程と、を含む。
「要因情報」は、被験者の肌トラブルの体内要因を示す情報である。
「改善提案情報」は、被験者の肌トラブルの体内要因の改善に関する情報である。「改善提案情報」は、対象となる体内要因の改善を促す情報であってもよいし、その改善方法を示す情報であってもよい。後者の改善提案情報では、例えば、推定された体内要因に適応した、適度の運動、ダイエットの推奨、食事改善などが提案される。
【００５６】
図９は、第三実施形態に係る肌美容カウンセリング方法を示すフローチャートである。
図９には、第二実施形態の肌分析方法を含む場合のフローが例示されている。即ち、工程（Ｓ３１）、工程（Ｓ３２）、工程（Ｓ３３）、及び工程（Ｓ３４）は、図６に示される工程（Ｓ２１）、工程（Ｓ２２）、工程（Ｓ２３）、及び工程（Ｓ２４）と同様である。なお、上述の赤み取得工程は、工程（Ｓ３２）に相当する。更に、上記提示工程は、図９の工程（Ｓ３５）に相当する。
【００５７】
要因情報は、工程（Ｓ３４）で特定された血液指標に関する情報を含んでもよい。この場合、この要因情報の提示により、工程（Ｓ３４）で特定された血液指標が被験者の肌トラブルの体内要因であることが被験者に提示される。更に、要因情報には、工程（Ｓ３３）で推定された血液指標の状態（血液検査値など）が含まれてもよい。
また、推定され得る要因ごとに改善方法情報が関連付けられた対応表が予め用意されており、工程（Ｓ３５）では、この対応表を用いて、改善提案情報を提示することができる。例えば、その対応表では、工程（Ｓ３４）で特定され得る血液指標ごとにその血液指標の状態を改善するための方法の情報が関連付けられていてもよい。工程（Ｓ３５）では、当該対応表がそのまま「改善提案情報」として提示されてもよいし、工程（Ｓ３４）で特定された血液指標に対応する改善方法の情報のみが「改善提案情報」として提示されてもよい。
【００５８】
第三実施形態は、工程（Ｓ３５）での提示手法を制限しない。
工程（Ｓ３５）がコンピュータにより実行される場合には、要因情報又は改善提案情報のいずれか一方又はその両方が、表示装置に表示されてもよいし、印刷されてもよいし、音声で読み上げられてもよい。また、要因情報と改善提案情報とが異なる提示手法によりそれぞれ提示されてもよい。例えば、血液指標ごとにその血液指標の状態を改善するための方法の情報が関連付けられた対応表が予め印刷されており、その印刷物が被験者に提示されると共に、要因情報として工程（Ｓ３４）で特定された血液指標に関する情報がコンピュータ出力されてもよい。
【００５９】
第三実施形態に係る肌美容カウンセリング方法は、第二実施形態の変形例に係る肌分析方法を含んでもよい。この場合、工程（Ｓ３３）が省かれ、工程（Ｓ３４）において、工程（Ｓ３１）で取得された体格指標情報と工程（Ｓ３２）で取得された赤み情報との２軸により、被験者の肌トラブルの体内要因として、代謝機能の低下リスクの高低を推定してもよい。そして、工程（Ｓ３５）において、代謝機能の改善を促す又は代謝機能の改善方法を示す改善提案情報が提示される。工程（Ｓ３５）では、図８のグラフ上の、被験者のＢＭＩ値及び赤み指標値に対応する位置にマーキングされた画像が要因情報として提示されてもよい。
【００６０】
〔肌美容カウンセリング支援装置〕
第三実施形態に係る肌美容カウンセリング支援装置は、被験者の肌の赤み情報を取得する赤み取得手段と、赤み取得手段で取得された赤み情報を用いて推定される当該被験者の肌トラブルの体内要因を示す要因情報及び当該体内要因の改善提案情報の少なくとも一方を出力する出力処理手段とを有する。
第三実施形態の肌美容カウンセリング支援装置のハードウェア構成は、制限されず、例えば、図４に例示される肌分析装置１０の構成と同様であればよい。
【００６１】
図１０は、第三実施形態の肌美容カウンセリング支援装置３０の処理構成例を概念的に示す図である。第三実施形態の肌美容カウンセリング支援装置３０は、赤み取得部３１、体格指標取得部３２、推定部３３、出力処理部３４等を有する。これら処理モジュールは、ソフトウェア要素であり、例えば、メモリ１２に格納されるプログラムがＣＰＵ１１により実行されることにより実現される。このプログラムは、例えば、ＣＤ、メモリカード等のような可搬型記録媒体やネットワーク上の他のコンピュータから入出力Ｉ／Ｆ１３又は通信ユニット１４を介してインストールされ、メモリ１２に格納されてもよい。
肌美容カウンセリング支援装置３０は、赤み取得部３１、体格指標取得部３２、推定部３３、及び出力処理部３４の動作により上述の肌美容カウンセリング方法を実現する。換言すれば、肌美容カウンセリング支援装置３０は、インストールされたプログラムを実行することにより上述の肌美容カウンセリング方法を実行することができる。
なお、体格指標情報が利用されない場合には、肌美容カウンセリング支援装置３０は、体格指標取得部３２を有していなくてもよい。
【００６２】
赤み取得部３１は、上述の赤み取得手段に相当し、上述の工程（Ｓ３２）を実行する。赤み取得部３１の処理内容は、上述の赤み取得部２１と同様であってもよい。
体格指標取得部３２は、上述の工程（Ｓ３１）を実行する。体格指標取得部３２の処理内容は、上述の体格指標取得部２５と同様であってもよい。
推定部３３は、上述の工程（Ｓ３３）及び工程（Ｓ３４）を実行する。推定部３３の処理内容は、上述の推定部２２と同様であってもよい。
【００６３】
出力処理部３４は、上述の出力処理手段に相当し、上述の工程（Ｓ３５）を実行する。即ち、出力処理部３４は、赤み取得部３１で取得された赤み情報を用いて推定される被験者の肌トラブルの体内要因を示す要因情報及び当該体内要因の改善提案情報の少なくとも一方を出力する。
出力処理部３４による出力形態は制限されない。例えば、出力処理部３４は、要因情報と改善提案情報との少なくとも一方を電子ファイルとして出力可能に保持してもよいし、その電子ファイルを通信ユニット１４を介して他のコンピュータに送信してもよい。また、出力処理部３４は、当該情報を入出力Ｉ／Ｆ１３を介して出力装置１５に表示又は印刷させてもよい。
【００６４】
このように、第三実施形態によれば、被験者は、血液検査などをすることなく、肌トラブルの体内要因に関する情報やその改善情報を容易に取得することができる。
【００６５】
［第四実施形態］
以下、上述の第一実施形態又は第二実施形態の一応用例として、飲食品や生活習慣改善手法の推奨方法及び推奨装置について、第四実施形態として説明する。以下の説明では、上述の各実施形態と異なる内容を中心に説明し、上述の各実施形態と同様の内容については適宜省略する。
【００６６】
〔飲食品又は生活習慣改善手法の推奨方法〕
第四実施形態に係る飲食品又は生活習慣改善手法の推奨方法は、被験者の肌の赤み情報を取得する赤み取得工程と、赤み取得工程で取得された赤み情報を用いて推定される当該被験者の肌トラブルの体内要因を改善させ得る飲食品又は生活習慣改善手法の推奨情報を提示する提示工程と、を含む。
ここでの「飲食品」とは、飲料若しくは食品又はその両方を意味する。この「飲食品」には、水に溶かして摂取するサプリメントと呼ばれる栄養補助食品なども含まれる。また、「生活習慣改善手法」とは、生活習慣を改善させるために被験者に提案する生活習慣メニューであり、例えば、一日の食事メニューや運動メニュー、食事時間や食事回数、運動時間などである。
「飲食品又は生活習慣改善手法の推奨情報」とは、肌トラブルの体内要因を改善させるのに推奨される飲食品又は生活習慣改善手法に関する情報である。
【００６７】
図１１は、第四実施形態に係る飲食品又は生活習慣改善手法の推奨方法を示すフローチャートである。
図１１には、第二実施形態の肌分析方法を含む場合のフローが例示されている。即ち、工程（Ｓ４１）、工程（Ｓ４２）、工程（Ｓ４３）、及び工程（Ｓ４４）は、図６に示される工程（Ｓ２１）、工程（Ｓ２２）、工程（Ｓ２３）、及び工程（Ｓ２４）と同様である。なお、上述の赤み取得工程は、工程（Ｓ４２）に相当する。
【００６８】
上記提示工程は、図１１の工程（Ｓ４５）に相当する。
工程（Ｓ４４）で特定され得る血液指標ごとにその指標に係る血液状態を改善させ得る飲食品又は生活習慣改善手法のリストを予め用意しておき、工程（Ｓ４５）では、このリストを用いて、当該推奨情報を特定してもよい。このリストでは、例えば、炎症指標（高感度ＣＲＰなど）に関して炎症指標を調整し得る飲食品又は生活習慣改善手法が関連つけられ、糖代謝指標（空腹時血糖など）に関して糖代謝を調整し得る飲食品又は生活習慣改善手法が関連付けられ、脂質代謝指標（ＬＤＬＣなど）に関して脂質代謝を調整し得る飲食品又は生活習慣改善手法が関連付けられる。本方法は、工程（Ｓ４４）で特定された血液指標に関連付けられた飲食品又は生活習慣改善手法の情報を当該リストから抽出し、その情報を推奨情報に含めて提示する。また、工程（Ｓ４５）では、工程（Ｓ４４）で特定された血液指標に関する情報と当該リストとを合わせて当該推奨情報として提示してもよい。工程（Ｓ４５）で提示される推奨情報では、一種の飲食品又は一種の生活習慣改善手法が示されてもよいし、複数種の飲食品又は複数種の生活習慣改善手法が示されてもよい。
工程（Ｓ４５）で提示される推奨情報は、推奨すべき飲食品又は生活習慣改善手法を特定可能な情報（名称、写真、改善メニュー内容など）を少なくとも含むものであればよい。その推奨情報は、そのような識別情報に加えて、原材料や摂取方法、効能などのその飲食品に関する詳細情報又は生活習慣改善手法の詳細情報を更に含んでもよい。
【００６９】
第四実施形態においても、工程（Ｓ４５）での提示手法を制限しない。
工程（Ｓ４５）がコンピュータにより実行される場合には、当該推奨情報が、表示装置に表示されてもよいし、印刷されてもよいし、音声で読み上げられてもよい。また、当該推奨情報は、上述したように、複数種の情報から形成され、各情報が異なる提示手法によりそれぞれ提示されてもよい。
【００７０】
第四実施形態に係る当該推奨方法は、第二実施形態の変形例に係る肌分析方法を含んでもよい。この場合、工程（Ｓ４３）が省かれ、工程（Ｓ４４）において、工程（Ｓ４１）で取得された体格指標情報と工程（Ｓ４２）で取得された赤み情報との２軸により、被験者の肌トラブルの体内要因として、代謝機能の低下リスクの高低を推定してもよい。そして、工程（Ｓ４５）において、代謝機能を改善し得る飲食品の推奨情報が提示される。工程（Ｓ４５）では、図８のグラフ上の、被験者のＢＭＩ値及び赤み指標値に対応する位置にマーキングされた画像も合わせて提示されてもよい。
【００７１】
〔飲食品又は生活習慣改善手法の推奨装置〕
第四実施形態に係る飲食品又は生活習慣改善手法の推奨装置（以降、単に推奨装置と略称する場合もある）は、被験者の肌の赤み情報を取得する赤み取得手段と、赤み取得手段で取得された赤み情報を用いて推定される当該被験者の肌トラブルの体内要因を改善させ得る飲食品又は生活習慣改善手法の推奨情報を出力する出力処理手段とを有する。
第四実施形態の推奨装置のハードウェア構成は、制限されず、例えば、図４に例示される肌分析装置１０の構成と同様であればよい。
【００７２】
図１２は、第四実施形態の飲食品又は生活習慣改善手法の推奨装置４０の処理構成例を概念的に示す図である。第三実施形態の推奨装置４０は、赤み取得部４１、体格指標取得部４２、推定部４３、出力処理部４４等を有する。これら処理モジュールは、ソフトウェア要素であり、例えば、メモリ１２に格納されるプログラムがＣＰＵ１１により実行されることにより実現される。このプログラムは、例えば、ＣＤ、メモリカード等のような可搬型記録媒体やネットワーク上の他のコンピュータから入出力Ｉ／Ｆ１３又は通信ユニット１４を介してインストールされ、メモリ１２に格納されてもよい。
推奨装置４０は、赤み取得部４１、体格指標取得部４２、推定部４３、及び出力処理部４４の動作により上述の飲食品又は生活習慣改善手法の推奨方法を実現する。換言すれば、推奨装置４０は、インストールされたプログラムを実行することにより上述の飲食品又は生活習慣改善手法の推奨方法を実行することができる。
なお、体格指標情報が利用されない場合には、推奨装置４０は、体格指標取得部４２を有していなくてもよい。
【００７３】
赤み取得部４１は、上述の赤み取得手段に相当し、上述の工程（Ｓ４２）を実行する。赤み取得部４１の処理内容は、上述の赤み取得部２１と同様であってもよい。
体格指標取得部４２は、上述の工程（Ｓ４１）を実行する。体格指標取得部４２の処理内容は、上述の体格指標取得部２５と同様であってもよい。
推定部４３は、上述の工程（Ｓ４３）及び工程（Ｓ４４）を実行する。推定部４３の処理内容は、上述の推定部２２と同様であってもよい。
【００７４】
出力処理部４４は、上述の出力処理手段に相当し、上述の工程（Ｓ４５）を実行する。即ち、出力処理部４４は、赤み取得部４１で取得された赤み情報を用いて推定される被験者の肌トラブルの体内要因を改善させ得る飲食品又は生活習慣改善手法の推奨情報を出力する。
出力処理部４４による出力形態は制限されない。例えば、出力処理部４４は、推奨情報を電子ファイルとして出力可能に保持してもよいし、その電子ファイルを通信ユニット１４を介して他のコンピュータに送信してもよい。また、出力処理部４４は、推奨情報を入出力Ｉ／Ｆ１３を介して出力装置１５に表示又は印刷させてもよい。
【００７５】
このように、第四実施形態によれば、被験者は、血液検査などをすることなく、肌トラブルの体内要因を改善させ得る飲食品又は生活習慣改善手法の情報を容易に取得することができる。
【００７６】
以下に実施例を挙げ、上述の内容を更に詳細に説明する。本発明は、以下の実施例の記載に限定されない。
【実施例】
【００７７】
本発明者らは、３０代から４０代の女性３６２名（調査１）、及び５０代前後の女性３３名（調査２）の２群を対象に、肌の赤みと血液検査で得られる情報との関係を調査した。
肌の赤みを示す情報としては、第一実施形態における第一の手法、第二の手法、及び第三の手法で得られる赤み濃度値又は赤みムラ値が用いられ、母集団の各人から赤み濃度値、ＢＭＩ、及び血液検査値が取得された。以下の説明では、このような血液検査値及びＢＭＩを調査指標値と表記する場合もある。
【００７８】
図１３は、赤み濃度値及び赤みムラ値（第一、第二、及び第三の手法）と、ＢＭＩ及び血液検査値との関係を示す表である。
本調査では、次のような複数手法により複数タイプの肌の赤み情報が取得された。
「赤み評価法Ａ」は、上述の第一の手法（図２参照）で取得された赤み濃度値である。
「赤み評価法Ｂ」は、上述の第一の手法（図２参照）で取得された赤みムラ値である。
「赤み評価法Ｃ」は、上述の第二の手法で取得された赤み濃度値である。
「赤み評価法Ｄ」は、上述の第三の手法（図３参照）で取得された赤み濃度値である。
「赤み評価法Ｅ」は、上述の第三の手法（図３参照）で取得された赤みムラ値である。
図１３には、体格指標値としてＢＭＩが示されており、空腹時血糖、空腹時インスリン、ＨＯＭＡ−Ｒなど、ＢＭＩ以外の指標値が血液検査値として示されている。
図１３の表中の数値は、各タイプの肌の赤み情報と各調査指標値との相関係数であり、５％有意水準で有意な値及び１０％有意水準で有意な値の背景には、パターンが付されている。
図１３に示されるように、当該赤み濃度値又は赤みムラ値は、体格指標、糖代謝、脂質代謝、血液一般等の生理指標と相関があること、特に、ＢＭＩ、空腹時インスリン、ＨＯＭＡ−Ｒ、ＬＤＬＣ、ｎｏｎ−ＨＤＬＣ、ＴＧ、ヘモグロビンは５％有意水準において相関があるこことが確認された。この相関性を用いることで、上述の実施形態で述べたように、被験者の肌の赤み濃度値又は赤みムラ値に基づいて、その被験者の血液指標の状態（血液検査値）を推定することができる。
【００７９】
図１４（ａ）、図１４（ｂ）及び図１４（ｃ）は、異なるＢＭＩ値範囲のグラフであり、図１４（ａ）は、２５以上のＢＭＩ値を有する被験者群のグラフであり、図１４（ｂ）は、１８．５以上２５未満のＢＭＩ値を有する被験者群のグラフであり、図１４（ｃ）は、１８．５未満のＢＭＩ値を有する被験者群のグラフである。
これら各図は、赤みムラ値（第三の手法）の高低と血液検査値の基準値範囲外者の割合との関係を示している。各図では、赤みムラ値の中央値で高グループと低グループとに区分けされている。
図示されるように、ＢＭＩの低いグループよりもＢＭＩの高いグループのほうが、赤みムラ値の高低での血液検査値の基準値範囲外者の割合の差が大きくなっている。特に、２５以上のＢＭＩグループにおいて、血液検査値の基準値範囲外者の割合の差が、赤みムラ値の高低で顕著になっている。なお、１８．５未満のＢＭＩは低体重と定義され、１８．５以上２５．０未満のＢＭＩは標準体重と定義され、２５．０以上のＢＭＩは肥満と定義される。
図１４（ａ）、図１４（ｂ）及び図１４（ｃ）によれば、肥満体格を示すＢＭＩ値（２５．０以上）を持つ被験者において、それよりも低いＢＭＩ値を持つ者に比べて、肌の赤み情報から血液検査で得られる情報を高精度に推定可能であることが確認できる。
【００８０】
更に、本発明者らは、５０代前後で比較的肥満体格である（ＢＭＩが２３．７から３２．９の範囲）女性３３名を母集団とした調査２において、赤み濃度値、赤みムラ値（第一、第二及び第三の手法）と血液検査値との関係を調査した。その結果が図１５である。
図１５で示されるように、当該赤み濃度値又は赤みムラ値は、高感度ＣＲＰやＨＭＷ−Ａｄと１０％有意水準において相関があることが確認された。この相関性を用いることで、上述の実施形態で述べたように、比較的肥満体格の被験者では、肌の赤み濃度値又はムラ値に基づいて、その被験者の血液指標の状態（血液検査値）も推定することができる。
【００８１】
更に、本発明者らは、調査２の母集団について、同一被験者に関する調査指標値の変化と肌状態の変化との関連性を調査した。この調査では、初期（０Ｍ）時から４Ｍ時までの４ヵ月間に栄養面及び運動面の各専門家により指導を４回行った。更に、初期時から１２ヵ月後の１２Ｍ時に３３名中の２５名を最終母集団として、２５人から赤み濃度値又は赤みムラ値、及び調査指標値を取得した。
この調査の結果が、図１６及び図１７に示されている。
【００８２】
図１６（ａ）、図１６（ｂ）、及び図１６（ｃ）には、皮膚性状を表す指標として、Ｌ値、ｂ値、皮脂量、水分蒸散量、角層水分量、角層剥離量、及び鱗屑が例示されている。Ｌ値は、肌の明るさの程度を示し、ｂ値は、肌の黄色みの程度を示す。鱗屑とは、角質細胞がはがれかかって皮膚に付着している状態の多さを示す。角層剥離量とは、角化の健常性を示し、その量が少ない場合、角化が正常な状態を示している。
なお、図１６において、５％及び１０％有意水準の背景には、パターンが付されている。
図１６の各図に示されるように、ＢＭＩ値の変化が、ｂ値、皮脂量、及び角層剥離量の変化と相関があることが認められる。また、図１６（ａ）から、Ｌ値及びｂ値のような肌色に由来する皮膚性状の変化が、ＴＣ、ＬＤＬＣ、ｎｏｎ−ＨＤＬＣ、ＴＧ等の脂質代謝に関連する血液指標の変化、又は高感度ＣＲＰのような炎症指標に関連する血液指標の変化と５％或いは１０％有意で相関があることが認められる。図１６（ｂ）から、皮脂量の変化が、ＬＤＬＣ、ＴＧのような脂質代謝、及びＨＭＷ−Ａｄのような血液指標の変化に関連する血液指標の変化と５％或いは１０％有意で相関があることが認められる。更に図１６（ｃ）からは、角層水分量、水分蒸散量及び鱗屑のような水分及び乾燥に由来する皮膚性状の変化、並びに角層剥離量の変化が、空腹時血糖、空腹時インスリン、ＨＯＭＡ−Ｒのような糖代謝、及びＬＤＬＣ、ＴＧのような脂質代謝に関連する血液指標の変化と５％或いは１０％有意で相関があることが認められる。
図１６によれば、血液指標の変化が皮膚性状の変化に関連していることが確認できる。
【００８３】
図１７は、肌美容カウンセリングの例を示す。被験者（ＩＤ）Ｓ１からＳ６のように同世代平均値より角層水分量の低い測定値を示す被験者群に対して、ＢＭＩ及び赤み評価法Ｄを使用して評価すると、被験者Ｓ１からＳ３は比較的ＢＭＩ及び赤み濃度値ともに低いのに対し、被験者Ｓ４からＳ６は、ＢＭＩ及び赤み濃度値ともに比較的高いことがわかった。この結果から、被験者Ｓ１からＳ３には、スキンケア方法の指導のみを実施し、被験者Ｓ４からＳ６には、スキンケア方法の指導の他に、糖代謝の改善手法又は糖代謝の改善剤の推奨を実施できることがわかった。また、検証のために、このときの糖代謝の指標である空腹時血糖やＨＯＭＡ−Ｒを評価すると、被験者Ｓ１からＳ３のいずれの指標も医学的な基準と比較すると正常範囲内である。一方、被験者Ｓ４からＳ６は、いずれの指標も基準値を超えていたり、被験者Ｓ１からＳ３と比べて、その検査値が高いことがわかる。これらの結果からこの推定は妥当であることが確認できた。
【００８４】
上述の説明で用いた複数のフローチャートでは、複数の工程（処理）が順番に記載されているが、各実施形態で実行される工程の実行順序は、その記載の順番に制限されない。各実施形態では、図示される工程の順番を内容的に支障のない範囲で変更することができる。また、上述の各実施形態は、内容が相反しない範囲で組み合わせることができる。
【００８５】
上記の内容の一部又は全部は、次のようにも特定され得る。但し、上述の内容が以下の記載に制限されるものではない。
【００８６】
＜１＞  被験者の肌の赤み情報を取得する赤み取得工程と、
前記赤み取得工程で取得された赤み情報を用いて、前記被験者の肌トラブルの体内要因を推定する推定工程と、
を含む肌分析方法（医療行為を除く）。
【００８７】
＜２＞  前記赤み取得工程では、前記被験者の肌画像を処理することにより、赤色の濃さ指標及びムラ指標の少なくとも一方の指標値を前記赤み情報として取得する、
＜１＞に記載の肌分析方法（医療行為を除く）。
＜３＞  前記推定工程では、
母集団から予め取得された赤みサンプルデータ及び血液状態サンプルデータの統計情報、及び前記赤み情報を用いて、皮膚性状と相関のある血液指標の状態を推定し、
前記推定された状態に基づいて、前記被験者の前記肌トラブルの体内要因となり得る前記血液指標を特定する、
＜１＞又は＜２＞に記載の肌分析方法（医療行為を除く）。
＜４＞  前記推定工程は、前記皮膚性状と相関のある血液指標の状態として、前記被験者の血液検査値を推定する、
＜３＞に記載の肌分析方法（医療行為を除く）。
＜５＞  被験者の肌の赤み情報を取得する赤み取得工程と、
前記赤み取得工程で取得された赤み情報を用いて推定される前記被験者の肌トラブルの体内要因を示す要因情報、及び当該体内要因の改善提案情報の少なくとも一方を前記被験者に提示する提示工程と、
を含む肌美容カウンセリング方法。
＜６＞  ＜１＞から＜４＞のいずれか一つに記載の肌分析方法を含み、
前記推定工程で推定された、前記被験者の肌トラブルの体内要因を示す要因情報及び当該体内要因の改善提案情報の少なくとも一方を前記被験者に提示する提示工程、
を更に含む肌美容カウンセリング方法。
＜７＞  被験者の肌の赤み情報を取得する赤み取得工程と、
前記赤み取得工程で取得された赤み情報を用いて推定される前記被験者の肌トラブルの体内要因を改善させ得る飲食品又は生活習慣改善手法の推奨情報を提示する提示工程と、
を含む飲食品又は生活習慣改善手法の推奨方法。
＜８＞  ＜１＞から＜４＞のいずれか一つに記載の肌分析方法を含み、
前記推定工程で推定された、前記被験者の肌トラブルの体内要因を改善させ得る飲食品又は生活習慣改善手法の推奨情報を提示する提示工程、
を更に含む飲食品又は生活習慣改善手法の推奨方法。
＜９＞  被験者の肌の赤み情報を取得する赤み取得手段と、
前記赤み取得手段で取得された赤み情報を用いて、前記被験者の肌トラブルの体内要因を推定する推定手段と、
を備える肌分析装置。
＜１０＞  前記赤み取得手段は、前記被験者の肌画像を処理することにより、赤色の濃さ指標及びムラ指標の少なくとも一方の指標値を前記赤み情報として取得する、
＜９＞に記載の肌分析装置。
＜１１＞  前記推定手段は、
母集団から予め取得された赤みサンプルデータ及び血液状態サンプルデータの統計情報、及び前記赤み情報を用いて、皮膚性状と相関のある血液指標の状態を推定し、
前記推定された状態に基づいて、前記被験者の前記肌トラブルの体内要因となり得る前記血液指標を特定する、
＜９＞又は＜１０＞に記載の肌分析装置。
＜１２＞  前記推定手段は、前記皮膚性状と相関のある血液指標の状態として、前記被験者の血液検査値を推定する、
＜１１＞に記載の肌分析装置。
＜１３＞  被験者の肌の赤み情報を取得する赤み取得手段と、
前記赤み取得手段で取得された赤み情報を用いて推定される前記被験者の肌トラブルの体内要因を示す要因情報及び当該体内要因の改善提案情報の少なくとも一方を出力する出力処理手段と、
を備える肌美容カウンセリング支援装置。
＜１４＞  前記赤み取得手段で取得された赤み情報を用いて、前記被験者の肌トラブルの体内要因を推定する推定手段、
を更に備え、
前記推定手段は、
母集団から予め取得された赤みサンプルデータ及び血液状態サンプルデータの統計情報、及び前記赤み情報を用いて、皮膚性状と相関のある血液指標の状態を推定し、
前記推定された状態に基づいて、前記被験者の前記肌トラブルの体内要因となり得る前記血液指標を特定し、
前記出力処理手段は、前記特定された血液指標を示す前記要因情報及び前記特定された血液指標の改善提案情報の少なくとも一方を出力する、
＜１３＞に記載の肌美容カウンセリング支援装置。
＜１５＞  被験者の肌の赤み情報を取得する赤み取得手段と、
前記赤み取得手段で取得された赤み情報を用いて推定される前記被験者の肌トラブルの体内要因を改善させ得る飲食品又は生活習慣改善手法の推奨情報を出力する出力処理手段と、
を備える飲食品又は生活習慣改善手法の推奨装置。
＜１６＞  前記赤み取得手段で取得された赤み情報を用いて、前記被験者の肌トラブルの体内要因を推定する推定手段、
を更に備え、
前記推定手段は、
母集団から予め取得された赤みサンプルデータ及び血液状態サンプルデータの統計情報、及び前記赤み情報を用いて、皮膚性状と相関のある血液指標の状態を推定し、
前記推定された状態に基づいて、前記被験者の前記肌トラブルの体内要因となり得る前記血液指標を特定し、
前記出力処理手段は、前記特定された血液指標を改善させ得る飲食品又は生活習慣改善手法の推奨情報を出力する、
＜１５＞に記載の飲食品又は生活習慣改善手法の推奨装置。
【符号の説明】
【００８８】
１０、３０  肌分析装置
１１  ＣＰＵ
１２  メモリ
１３  入出力Ｉ／Ｆ
１４  通信ユニット
１５  出力装置
１６  入力装置
２１、３１、４１  赤み取得部
２２、３３、４３  推定部
２３、３４、４４  出力処理部
２５、３２、４２  体格指標取得部
３０  肌美容カウンセリング支援装置
４０  飲食品又は生活習慣改善手法の推奨装置
【図１】
2018102730.tif 000003
【図２】
2018102730.tif 000004
【図３】
2018102730.tif 000005
【図４】
2018102730.tif 000006
【図５】
2018102730.tif 000007
【図６】
2018102730.tif 000008
【図７】
2018102730.tif 000009
【図８】
2018102730.tif 000010
【図９】
2018102730.tif 000011
【図１０】
2018102730.tif 000012
【図１１】
2018102730.tif 000013
【図１２】
2018102730.tif 000014
【図１３】
2018102730.tif 000015
【図１４】
2018102730.tif 000016
【図１５】
2018102730.tif 000017
【図１６】
2018102730.tif 000018
【図１７】
2018102730.tif 000019